【手続補正書】
【提出日】平成17年9月28日(2005.9.28)
【手続補正１】
【補正対象書類名】明細書
【補正対象項目名】０００４
【補正方法】変更
【補正の内容】
【０００４】
【特許文献１】米国特許第５６７３１８４号公報
【特許文献２】米国特許第６２８２１０３号公報
【特許文献３】米国特許第６４６９４８６号公報
【特許文献４】米国特許第５７９０３８９号公報
【特許文献５】米国特許第６００５７８０号公報
【特許文献６】米国特許第６５７４１２２号公報
【特許文献７】特許第３０３８３０４号公報
【手続補正２】
【補正対象書類名】明細書
【補正対象項目名】０００５
【補正方法】変更
【補正の内容】
【０００５】
複数のトランスを備えるスイッチング電源について、図１８を用いて説明する。図１８は、スイッチング電源を示す構成図である。
【手続補正３】
【補正対象書類名】明細書
【補正対象項目名】００１７
【補正方法】変更
【補正の内容】
【００１７】
よって、図１８の例において、交流電圧Ｖａｃと高周波交流電圧源である接続点Ｐとは、フィルタ回路４０と整流回路ＤＢ１と第１磁性素子であるインダクタＬ１とダイオードＤ２とを介して接続される。また、整流回路ＤＢ１と平滑コンデンサＣｉｎとの間にブロッキングダイオードＤ１を接続する。
【手続補正４】
【補正対象書類名】明細書
【補正対象項目名】００１８
【補正方法】変更
【補正の内容】
【００１８】
このような図１８の例は、入力電流Ｉｉｎの導通が促進され力率は高くなる。
【手続補正５】
【補正対象書類名】明細書
【補正対象項目名】００１９
【補正方法】変更
【補正の内容】
【００１９】
【発明が解決しようとする課題】
しかしながら、図１８の例は、第１一次巻線Ｔ４１ｎ１，Ｔ４２ｎ１，Ｔ４３ｎ１に平滑コンデンサＣｉｎの高い電圧ＶＣｉｎが印加されるため、第１一次巻線Ｔ４１ｎ１，Ｔ４２ｎ１，Ｔ４３ｎ１の巻数を大きく設計する必要があった。また、第２一次巻線Ｔ４１ｎ２，Ｔ４２ｎ２，Ｔ４３ｎ２が必要であった。
【手続補正６】
【補正対象書類名】明細書
【補正対象項目名】００２５
【補正方法】変更
【補正の内容】
【００２５】
【発明の実施の形態】
以下に、図１に基づいて本発明を詳細に説明する。図１は本発明に係るスイッチング電源の一実施例を示す構成図である。なお、図１８の例と同等の要素には同等の符号を付し、説明を省略する。
【手続補正７】
【補正対象書類名】明細書
【補正対象項目名】００３６
【補正方法】変更
【補正の内容】
【００３６】
また、図１８の例と同様に、スイッチング素子Ｑ１のオンオフは、第１一次巻線Ｔ１ｎ１，Ｔ２ｎ１，Ｔ３ｎ１と第２一次巻線Ｔ１ｎ２，Ｔ２ｎ２，Ｔ３ｎ２との接続点Ｊに、高周波交流電圧源を生成する。
【手続補正８】
【補正対象書類名】明細書
【補正対象項目名】００４６
【補正方法】変更
【補正の内容】
【００４６】
例えは、同一のコアにおいて、図１８の例で巻数ｎ１＝６０ターンとなる磁束振幅を図１の実施例で実現すると、巻数ｎ１＝６０×０．３＝１８ターン及び巻数ｎ２＝（６０×０．７）／３＝１４ターンとなり、巻数ｎ１＋巻数ｎ２＝３２ターンとなる。ただし、第１一次巻線Ｔ１ｎ１，Ｔ２ｎ１，Ｔ３ｎ１の全体に印加される電圧と第２一次巻線Ｔ１ｎ２，Ｔ２ｎ２，Ｔ３ｎ２の全体に印加される電圧との比が３：７としている。
【手続補正９】
【補正対象書類名】明細書
【補正対象項目名】００５６
【補正方法】変更
【補正の内容】
【００５６】
このような、図１の例の動作は、図１８の例と類似の動作となり、高力率で電力を変換する。以下に、図１の実施例の動作の詳細を図２〜図５を用いて説明する。図２〜図４は、図１の実施例の各部の動作波形である。また、図５は図１の実施例の各期間の動作模式図である。
【手続補正１０】
【補正対象書類名】明細書
【補正対象項目名】００８０
【補正方法】変更
【補正の内容】
【００８０】
このようにして、図１の実施例は、図１８の例と同様に、高力率で電力を変換する。即ち、入力電流Ｉｉｎの導通角がひろがる。また、トランスＴ１，Ｔ２，Ｔ３は負荷を分担する。さらにまた、第１一次巻線Ｔ１ｎ１，Ｔ２ｎ１，Ｔ３ｎ１と第２一次巻線Ｔ１ｎ２，Ｔ２ｎ２，Ｔ３ｎ２とは、平滑コンデンサＣｉｎの電圧ＶＣｉｎを分圧する。
【手続補正１１】
【補正対象書類名】明細書
【補正対象項目名】００９０
【補正方法】変更
【補正の内容】
【００９０】
例えは、同一のコアにおいて、図１８の例でｎ１＝６０ターンとなる磁束振幅を図６の実施例で実現すると、巻数ｎ１＝（６０×０．３）／３＝６ターン及び巻数ｎ２＝６０×０．７＝４２ターンとなり、巻数ｎ１＋巻数ｎ２＝４８ターンとなる。
ただし、第１一次巻線Ｔ１１ｎ１，Ｔ１２ｎ１，Ｔ１３ｎ１の全体に印加される電圧と第２一次巻線Ｔ１１ｎ２，Ｔ１２ｎ２，Ｔ１３ｎ２の全体に印加される電圧との比が３：７としている。
【手続補正１２】
【補正対象書類名】明細書
【補正対象項目名】０１５７
【補正方法】変更
【補正の内容】
【０１５７】
例えは、同一のコアにおいて、図１８の例でｎ１＝６０ターンとなる磁束振幅を図６の実施例で実現すると、巻数ｎ１＝（６０×０．３）／３＝６ターン及び巻数ｎ２＝（６０×０．７）／３＝１４ターンとなり、巻数ｎ１＋巻数ｎ２＝２０ターンとなる。
ただし、第１一次巻線Ｔ２１ｎ１，Ｔ２２ｎ１，Ｔ２３ｎ１の全体に印加される電圧と第２一次巻線Ｔ２１ｎ２，Ｔ２２ｎ２，Ｔ２３ｎ２の全体に印加される電圧との比が３：７としている。
【手続補正１３】
【補正対象書類名】明細書
【補正対象項目名】図面の簡単な説明
【補正方法】変更
【補正の内容】
【図面の簡単な説明】
【図１】本発明の一実施例を示す構成図である。
【図２】図１の実施例の各部の動作波形である。
【図３】図１の実施例の各部の動作波形である。
【図４】図１の実施例の各部の動作波形である。
【図５】図１の実施例の各期間の動作模式図である。
【図６】本発明の第２の実施例を示す構成図である。
【図７】本発明の第３の実施例を示す構成図である。
【図８】本発明の第４の実施例を示す構成図である。
【図９】本発明の第５の実施例を示す構成図である。
【図１０】出力回路の実施例を示す構成図である。
【図１１】本発明の第６の実施例を示す構成図である。
【図１２】本発明の第７の実施例を示す構成図である。
【図１３】本発明の第８の実施例を示す構成図である。
【図１４】図１２の実施例における不平衡のときの各部の動作波形である。
【図１５】図１の実施例における不平衡のときの各部の動作波形である。
【図１６】本発明の第９の実施例を示す構成図である。
【図１７】本発明の第１０の実施例を示す構成図である。
【図１８】スイッチング電源を示す構成図である。
【符号の説明】
Ｃｉｎ  平滑コンデンサ
Ｃ２  コンデンサ
ＤＢ１  整流回路
Ｄ１  ブロッキングダイオード
Ｄ２，Ｄ３，Ｄ４，Ｄ５  ダイオード
Ｌ１，Ｌ５  カップルドインダクタ（第１磁性素子及び第２磁性素子）
Ｌ２，Ｌ３  インダクタンス（第１磁性素子）
Ｔ１，Ｔ２，Ｔ３，ＴＮ，Ｔ１１，Ｔ１２，Ｔ１３，Ｔ２１，Ｔ２２，Ｔ２３トランス
Ｔ１ｎ１，Ｔ２ｎ１，Ｔ３ｎ１，ＴＮｎ１，Ｔ１１ｎ１，Ｔ１２ｎ１，Ｔ１３ｎ１，Ｔ２１ｎ１，Ｔ２２ｎ１，Ｔ２３ｎ１  第１一次巻線
Ｔ１ｎ２，Ｔ２ｎ２，Ｔ３ｎ２，ＴＮｎ２，Ｔ１１ｎ２，Ｔ１２ｎ２，Ｔ１３，Ｔ２１ｎ２，Ｔ２２ｎ２，Ｔ２３ｎ２  第２一次巻線
Ｔ１ｎ３，Ｔ２ｎ３，Ｔ３ｎ３，ＴＮｎ３，Ｔ１１ｎ３，Ｔ１２ｎ３，Ｔ１３ｎ３，Ｔ２１ｎ３，Ｔ２２ｎ３，Ｔ２３ｎ３  二次巻線
Ｔ２１ｎ４，Ｔ２２ｎ４，Ｔ２３ｎ４  リセット用巻線
３１，３２，３Ｎ  出力回路
５０  インダクタンス回路（第１磁性素子及び第２磁性素子）
６０  スイッチング回路
Ｖａｃ  交流電圧
Ｖｉｎ  直流電圧
Ｖｏｕｔ  出力電圧